Podtech/llm-jp-corpus-v4-ja_patent huggingface dataset:
(57)【要約】【課題】身体のあらゆる部分で使用でき、乗せるだけで温かく患部の冷えやコリを緩和し、小豆のほのかな香りとトルマリンの効果で、リラクゼーション効果のある保温時間の長い保温体の提供。【解決手段】肌触りの良い柔軟性のあるシール地２に保温力のある小豆３と、遠赤外線効果、マイナスイオン効果のある粒状トルマリン４を混ぜいれ、電磁レンジで加熱しその二つの特性を融合したものとする【選択図】図１
0003131370.tif 000002
【実用新案登録請求の範囲】
【請求項１】
柔軟性のある肌触りの良いポリエステルのシール地を袋状にした中に、小豆とトルマリンを入れ電子レンジで加熱し、繰り返し使用することを特徴とする保温体。
【請求項２】
小豆の保温力を利用することを特徴とする請求項１記載の保温体。
【請求項３】
トルマリンが粒状であることを特徴とする請求項１記載の保温体。
【請求項４】
小豆の特性とトルマリンの特性を融合させたことを特徴とする請求項１記載の保温体。
【請求項５】
電子レンジで加熱する事で保温力のある小豆が、トルマリンのマイナスイオンや遠赤外線効果を引きだし、さめにくく保温時間が長いことを特徴とする請求項１記載の保温体。
【考案の詳細な説明】
【技術分野】
【０００１】  この考案は、電子レンジで過熱し、繰り返し使用する保温体に関する。
【特許文献１】
【非特許文献１】
【背景技術】
【０００２】  従来の保温体は、同じく電子レンジで加熱して使用するものであるが、肩用、おなか用と分かれており、また加熱時間が短いものである。
【考案の開示】
【考案が解決しようとする課題】
【０００３】しかしながら、以上の技術によれば、保温時間が短く温度にもムラがあり、暖かさと言う点で物足りなく、また一つの保温体で身体の各部分を暖める保温体がなかった。
そこで、この考案は、身体のどの部分にも使用でき、保温温度が高く保温時間の長い保温体を提供することを課題とする。
【課題を解決するための手段】
【０００４】  以上の課題を解決するために、第一考案は、保温力のある小豆を使用したことを特徴とする保温体である。
また、第二考案は、保温力のある小豆にトルマリンを加え二つの特性を融合させた事と、各部分に使用するため肌触りの良いポリエステルのシール地を使用したことを特徴とする保温体である。
【考案の効果】
【０００５】  第一考案、また第二考案によれば、小豆とトルマリンの融合効果で、三分間の加熱で高い保温温度が得られ、保温時間も延長できる。
【考案を実施するための最良の形態】
【０００６】  この考案の一実施形態を、図１に示す。
保温体の本体１は肌触りの良いポリエステルのシール地２で、袋状にした中に小豆３と粒状トルマリン４を入れ、この本体１を三分割した仕切り５上の両端を、小豆３と粒状トルマリン４が行き交うように間を開け、残りの部分を仕切る。【０００７】「実施形態の効果」
この実施形態によれば、肌触りの良いシール地２のため身体のどの部分にも乗せられ、肩やおなかなど両端が下がる場所でも、三分割した仕切り５で小豆３や粒状トルマリン４が両端に片寄ることを防いでくれる。【０００８】「他の実施形態」
図１の実施形態では、仕切り５の両端に小豆３や粒状トルマリン４が行き交うように間を開けたが、完全に三分割に仕切ったものでも良い。
【産業上の利用可能性】
【０００＊】
【図面の簡単な説明】
【０００９】
【図１】この考案の一実施形態を示す斜視図である。
【図２】従来技術を示す平面図である。
【図３】従来技術を示す斜視図である。
【符号の説明】
【００１０】１  保温体本体    ２  シール地    ３  小豆    ４  粒状トルマリン    ５  仕切り    ６  とうもろこし    ７  鉱石（トルマリン以外）    ８  ジェル（中身全体）
【図１】
0003131370.tif 000003
【図２】
0003131370.tif 000004
【図３】
0003131370.tif 000005
(57)【要約】【課題】  既製靴下の片方には漢字表記の熟語もしくは四字成語を、またもう片方にはひらかな表記のそれをプリントして作成、提供する。【解決手段】  靴下の片方に漢字表記、もう片方にひらかな表記とすることで熟語や四字成語の読み方を確認したり、不明な漢字表記を想起したりできることを特徴としている。【選択図】図１
0003131364.tif 000002
【実用新案登録請求の範囲】
【請求項１】
熟語もしくは四字成語を、片方には「漢字表記」で、もう片方には「ひらかな表記」でプリントした左右色違いで一対の学習靴下。
【考案の詳細な説明】
【技術分野】
【０００１】  この考案は、一対の靴下に漢字表記とひらかな表記の熟語や四字成語をプリントした学習靴下に関するものである。
【背景技術】
【０００２】  従来、靴下装飾は色や模様、あるいは熟語等の文字によるものはあった。
【考案の開示】
【考案が解決しようとする課題】
【０００３】  現在の子どもや若年層には「活字離れ」や「漢字文化軽視」の傾向が見られ、日常生活で漢字と密着した言語文化は薄れつつある。
本考案は、以上のような危惧を軽くするためになされた一工夫である。
【課題を解決するための手段】
【０００４】  熟語もしくは四字成語を、靴下の片方には「漢字表記」で、もう片方には「ひらかな表記」でプリントして作成する。
以上の構成よりなる学習機能をもたせた靴下である。
【考案の効果】
【０００５】  プリントする熟語や四字成語はわたしたちが日常目にしやすい「挨拶」とか「一生懸命」など、「物忘れ」をカバーできる程度や範囲のものとし、ひらかな表記で確認できることをねらいとする。
【考案を実施するための最良の形態】
【０００６】  以下、本考案の実施例について説明する。
例えば、一対の靴下に、片方には「挨拶」と漢字プリントし、もう片方には「あいさつ」とひらかなプリントをして作成する。
本考案は、以上のような構成であり、片方の「挨拶」の読み方を忘れていても、もう片方の「あいさつ」を見れば、読み方の確認ができる。また、逆の場合についても、学習する機会が得られるという「学習靴下」である。
【図面の簡単な説明】
【０００７】
【図１】  本考案の既製靴下の両側に文字をプリントをした「学習靴下」の実施例を示す全体正面図である。
【符号の説明】
【０００８】１  靴下本体
２  文字表示▲１▼
３  文字表示▲２▼
【図１】
0003131364.tif 000003
(57)【要約】      （修正有）【課題】交通信号機の上部もしくは下部の視認性の良い部位に表示機器を設け、信号灯火色変換までの時間を、リアルタイムで運転者に知らせることにより、運転者の精神的負担を軽減する。【解決手段】交通信号機１の上部もしくは下部の視認性の良い部位に表示機器２を設け、交通信号機１の信号灯火色変換プログラムに連動し、信号灯火色変換までの時間を分秒単位より、一秒ずつリアルタイムにカウントダウン表示をし、路上遠方より視認可能としたことから、運転者は信号灯火色変換時期に対し心の準備をする時間を得ることで、精神的負担及び危険走行を軽減する事に役立つ。【選択図】図１
0003131363.tif 000002
【実用新案登録請求の範囲】
【請求項１】
道路交差点に設置の交通信号機において、上部もしくは下部の視認性の良い部位に信号灯火色変換プログラムと連動した表示機器を設け、信号灯火色変換までの時間を分秒単位より、一秒ずつリアルタイムにカウントダウン表示することを特徴とする、表示機器付き信号機。
【考案の詳細な説明】
【技術分野】
【０００１】  本考案は、道路交差点に設置の交通信号機において、信号灯火色変換までの時間を分秒の単位より、一秒ずつリアルタイムでカウントダウン表示をする機器を設けた、信号機に関するものである。
【背景技術】
【０００２】  既存の横断歩道信号機においては、信号灯火色変換前に点滅しておおざっぱに変換時期を知らせるようになっているが、点滅が始まるまでの時間はもちもんのこと点滅中に対しても、信号灯火色変換までの時間が不明であり、また車両運転者は視認性の悪い位置に対しての確認のため、前方から視界をそらせる必要にかられ危険であった。車両運転者の心理として、青色信号灯火色で交差点に進入する時、信号灯火色がまえぶれもなく急に変換するため、運転者は常に緊張を強いられた走りをし、また、赤色信号灯火色で停止待機の時、青色信号灯火色変換までの時間が事前にわからなく、また、変換までの時間が異様に長い交差点においては、信号機が故障をしているのではないかと疑心暗鬼になることもあり、運転者はいらいらしながら待っていた。
【考案の開示】
【考案が解決しようとする課題】
【０００３】  交差点進入の直前、信号灯火色が急に変換することがあり、運転者は後車に対しての安全配慮から、信号無視をせざるを得ない場合があり、また、停止待機のとき、運転者は信号灯火色変換時期を事前に把握できないことから、発進するタイミングが遅れるため、交通渋滞をひきおこす可能性もある。
従って、信号灯火色変換までの時間を分秒単位より、リアルタイムで運転者に事前に知らせるための表示機器を、交通信号機に設けることで、前述の欠点を解決しようとするものである。
【課題を解決するための手段】
【０００４】  本考案は、交通信号機の信号灯火色変換に対するプログラムと連動して、信号灯火色変換までの時間を分秒単位でリアルタイムに表示することのできる表示機器を、交通信号機の上部もしくは下部の視認性の良い部位に設けることにより、車両運転者は道路上遠方より確認できることから、心の準備時間を得て、最高のタイミングで交差点進入を果たせることを可能としたことにより、問題点を解決している。
【考案の効果】
【考案の効果】
【０００５】  上述のように、表示機器付き信号機は、既設の交通信号機と比べなんら変わりなく確認できるうえに、なおかつ信号灯火色の変換時期が車両運転者に対し、分秒単位で常に実時間を把握することを可能としたことから、心の準備時間および心のゆとりを持てることにより、精神的負担を軽減し、無理な運転を控えさせることに役立つ。
【考案を実施するための最良の形態】
【０００６】  交通信号機の上部もしくは下部に設けた表示機器は、信号灯火色変換までの時間をプログラムした交通信号機の回路に連動し、人間の確認能力に最も適した分秒単位での表示より、リアルタイムでカウントダウン表示をする。
当該、運転者は遠方から容易に視認でき、灯火色変換までの時間を事前に把握することによって、十分に心の準備をすることが出来、精神的負担を軽減するものである。
【実施例】
【０００７】  以下、添付図面に従って一実施例を説明する。
１は道路交差点に設置の交通信号機、２は運転者が遠方から容易に視認可能な表示機器で、信号灯火色変換までの時間を分秒単位より、リアルタイムにカウントダウン表示をする。
【図面の簡単な説明】
【０００８】
【図１】本考案の表示機器付き信号機の正面図である。
【符号の説明】
【０００９】１  交通信号機
２  表示機器
【図１】
0003131363.tif 000003
(57)【要約】      （修正有）【課題】シャフトに対し締め付けたナットを固定するためのピンを設け、締め付けたナットの緩みを防止する。【解決手段】シャフト２の先端面に十字の溝を設け、かつ、ナット５の外面に、中心より６０度の間隔で放射状に複数の溝を設け、当該シャフト２に砥石４を装着し、ナット５で締め付けた時、シャフト２及びナット５の溝が一直線になった位置に、ピン６を噛ませたことにより、締め付けたナット５の緩み防止に役立つ。【選択図】図１
0003131362.tif 000002
【実用新案登録請求の範囲】
【請求項１】
シャフトの先端面に、ピンを噛ませるための溝を十字に設け、かつ、ナット外面に、中心から６０度の間隔で、放射状にピンを噛ませるための溝を複数設け、ナットを締めた時、シャフトの先端とナット双方に設けた溝が、一直線になった溝を選び、ピンを噛ませたことを特徴とした、緩み防止ピン。
【考案の詳細な説明】
【技術分野】
【０００１】  本考案は、シャフトに締め付けたナットの緩みを防止するためのピンを設けた、ハンドグラインダーに関するものである。
【背景技術】
【０００２】  通常ハンドグラインダーは、正回転のみ可能であるため、砥石の目詰まりを引き起こし、また、利き腕によっては、すごく扱いずらい作業位置があるため、不便であった。
【考案の開示】
【考案が解決しようとする課題】
【０００３】  利き腕による扱いやすい作業位置の確保や、目詰まりした砥石を、そのつど交換していては、時間的、経済的、労働的負担である。
従って、ハンドグラインダーを正回転、及び逆回転の双方で使用できるように、砥石を締め付けるナットの緩みを防止し、逆回転使用を可能にすることで砥石の目詰まりの緩和、及び、利き腕による扱いやすい作業位置の確保が不要になり、前述の欠点を解消しようとするものである。
【課題を解決するための手段】
【０００４】  本考案は、シャフトの先端面の中心から９０度間隔で放射状にのばす４本の溝を設け、また、ナットの外面に６０度間隔で放射状にかつ、外周より若干内側にとどめた六本の溝を設け、シャフトに装着した砥石をナットで締め付けた時点でシャフトとナットの溝が一直線になった位置を選び、そこに磁石素材で形成した円柱形のピンをかませたことにより、問題点を解決している。
【考案の効果】
【０００５】  上述のように、本考案の緩み防止ピンは、ハンドグラインダーにおいて、正回転での使用はもちろんのこと、逆回転での使用においても、ナットが緩むことのないようピンを設けたことにより、利き腕による作業位置の不便さの解消、ならびに砥石の目詰まり時に対して、逆回転使用での目詰まりの緩和により、砥石の寿命を伸ばし作業能率向上に役立つ。
【考案を実施するための最良の形態】
【０００６】  シャフトに砥石を装着しナットで締め付けた後、溝にピンを噛ませることで逆回転使用時でのナットの緩みを防止するものであるが、まれに砥石の厚さによってはシャフトの溝とナットの溝が一直線になるための誤差が３０度未満生じることもあるが、弾力性を有する薄いワッシャーを用いることでなんら不具合は無く、また切断砥石のように極端に薄い砥石の使用においては、厚いナットを使用することで解決する。
【実施例】
【０００７】  以下添付図面に従って一実施例を説明する。
１は既成のハンドグラインダー本体、２は先端面に十字の溝を設けたシャフト、３はシャフト２に組み付ける砥石支え、４はシャフト２に取り付ける砥石、５は外面に六本の溝を設けたナットで、砥石４を締め付ける。【０００８】  ６は円柱形で磁石素材のピンであり、シャフト２ならびにナット５に設けた溝に噛ませることで、シャフト２にナット５を固定する。
【図面の簡単な説明】
【０００９】
【図１】本考案の、緩み防止ピンを使用するため、組み付け部品の位置順を示した斜視図である。
【図２】本考案の緩み防止ピンを噛ませた、ナット、シャフト、砥石の正面図である。
【符号の説明】
【００１０】１  ハンドグラインダー本体
２  シャフト
３  砥石支え
４  砥石
５  ナット
６  ピン
【図１】
0003131362.tif 000003
【図２】
0003131362.tif 000004
(57)【要約】【課題】  本考案は木構造材の接合部のしなりや軋みを金物の斜辺または円弧が受け止めつつ、連結部材の鎖が柱と土台と基礎を連結し一体となって柱と土台の浮上と横ずれを防止し、強風や地震の外力に対応することによって軸組みの補強をする。【解決手段】  本考案は主として木造軸組みの側面に接合され、係止孔３を多数穿設された帯金物の平板面を複数以上組みつけて、Ｖ形、Ｘ形、１／４円形、半円形または三角形をなす構造体の斜辺または円弧が柱のしなりや軋みを受け止めつつ、連結部材の鎖１９が柱５と土台４と基礎２３を連結し柱と土台の浮上と横ずれを防ぎ柱と基礎と一体になって外力に対して補強をする。【選択図】図１
0003131365.tif 000002
【実用新案登録請求の範囲】
【請求項１】
木構造用の軸組みの補強金物であって、係止孔を多数穿設された帯金物の平板面を複数以上組みつけて、Ｖ形、Ｘ形、１／４円形、半円形または三角形をなす構造体を交差する軸組み側面へ接合して、その構造体の斜辺または円弧でもって補強しつつ、その側接の平面上に連結部材の一端を溶着または結合部材にて結合せしめ、他端を基礎の側面上に結合部材にて結合せしめてもって一体に連結し、柱の浮き上がりと横ずれを防止するのを特徴とする木構造用耐震補強側接ホールドダウン金物
【考案の詳細な説明】
【技術分野】
【０００１】  本考案は、木構造用金物に関するものである。
【背景技術】
【０００２】  木造建築構造材の接合部の補強は筋交いや火打ちで固定するのが一般的であった。
【考案の開示】
【考案が解決しようとす課題】
【０００３】  筋交いでの補強は開口部をとることになるし、木構造軸組みの改造補強は手間と時間を要し非常に困難な工事となる。古い柱でも取り付け容易な改造補強金物の提供を狙いとするものである。
【問題を解決するための手段】
【０００４】  本考案は柱と土台の交差部など、建築物の互いに交差する木造軸組みの側面に接合され柱のしなりやきしみを構造体の斜辺または円弧が受け止めつつ柱と土台及び基礎と一体になって外力に対応することによって、軸組み構造の補強となることによって問題を解決している。
【考案の効果】
【０００５】  上述のように、本考案の木構造用耐震補強側接ホールドダウン金物は構造体に斜辺または円弧および基礎との連結部材を設けたので、軸組み柱の地震や強風によるしなりやきしみを受け止めつつ、軸組み構造の抜けや、はずれを防ぎ、土台の浮上と横ずれを防止し古い柱や、また土台巾に比べ布基礎巾が過大な場合でも比較的容易に対応できる。
【考案を実施するための最良の形態】
【０００６】Ｖ形、Ｘ形の帯金物の構造体の場合は、組みつけられた構造体の角部を交差する軸組みの一方の柱に、交差する辺の反対の端部を他方の柱に接合する。１／４円形の構造体の場合は一方の半径部を一方の柱に、他方の半径部を他方の柱に接合する。半円形の構造体の場合は直径部を一方の柱に、円弧の中間部を他方の柱に接合する。三角形の構造体の場合はひとつの角部を一方の柱に、その角部の対辺部を他方の柱に接合する。接合手段として、ラグスクリューボルト、木工ネジ、ボルト、釘、ドリリングタッピングネジ等の固定手段で固定する。さらに連結部材である鎖を単数または複数、構造体の平面上に、一端を溶着あるいはネジ結合にて結合し、他端を基礎の側面へ金属拡張アンカーとナット、または金属拡張プラグとボルト等の結合部材でピーンと張りつめて固定する。
【実施例１】
【０００７】  以下添付図面に従って一実施例を説明する。１は帯金物の平板部を溶着により組みつけて三角形となした構造体を軸組みの交差部に接合した場合で、ひとつの角部は一方の柱に、その角部に対する辺部は他方の柱に接合することにより、取り付けられた軸組みの柱のしなりやきしみを構造体の斜辺部が受け止めつつ補強する。さらに構造体平面上に鎖の一端２０を溶着し、多端２２を基礎の側面へ  金属拡張アンカー、ワッシャー、スプリングワッシャー、ナット等の結合部材でピーンと張りつめて結合する。
２は溶着線、３は係止孔、４は土台、５は柱、６は筋交い、７は壁、２３は基礎、１９は連結部材の鎖である。８は帯金物の平板部をネジ結合により組みつけて三角形となした構造体で前記と同様に軸組み交差部へ接合して補強をする。さらに構造体平面上に鎖の一端２１をネジ結合して、他端２２を前記と同様に金属拡張アンカー１８等で基礎に結合して連結して補強をする。
【実施例２】
【０００８】  １２は帯金物の平板部をネジ結合により組み付けＶ形となした構造体で、二辺をはさむ角部を軸組みの一方の柱に、１３の交差する辺の角に対する端部を他の柱に接合して補強をする。さらに鎖の一端２０を構造体の平面上に溶着し、他端２２を基礎の側面上に金属拡張アンカー１８を打ち込んで、ワッシャー１１、スプリングワッシャー１０、ナット１７で結合し連結する。
【実施例３】
【０００９】  １４は帯金物の平板部を溶着して組み付け１／４円形となした構造体でそれぞれの半径部１５を一方の柱と他方の柱に接合することにより構造体の円弧１６で柱のしなりや軋みを受け止めつつ補強をする。さらに鎖の一端２０を構造体の平面上に溶着し、他端２２を基礎の側面上に金属拡張アンカー１８を複数打ち込んで、前記同様に結合して連結したものである。
【図面の簡単な説明】
【００１０】
【図１】本考案の帯金物の平板面を溶着により組みつけて、三辺で三角形をなす構造体にしたものを軸組み側面へ接合し、さらに連結部材の鎖で基礎へ連結した場合の木構造用耐震補強側接ホールドダウン金物の正面図である。
【図２】本考案の帯金物の平板面をネジ結合により組み付けて三辺で三角形をなす構造体を軸組み側面へ接合し、さらに連結部材の鎖を基礎へ連結した場合の木構造用耐震補強側接ホールドダウン金物の斜視図である。
【図３】本考案の帯金物の平板面をネジ結合により組みつけて二辺でＶ形をなす構造体を軸組み側面へ接合し、さらに連結部材の鎖で基礎へ連結した場合の木構造用耐震補強側接ホールドダウン金物の正面図である。
【図４】本考案の帯金物の平板面を溶着により組みつけて１／４円形を成す構造体を軸組み側面へ接合し、さらに連結部材の鎖で基礎へ連結した場合の木構造用耐震補強側接ホールドダウン金物の正面図である。
【符号の説明】
【００１１】  １  溶着により組み付けた三角形をなす構造体
２  溶着線
３  係止孔
４  土台
５  柱
６  筋交い
７  壁
８  ネジ結合により組み付けた三角形をなす構造体
９  ボルト
１０  スプリングワッシャー
１１  ワッシャー
１２  ネジ結合により組み付けたＶ形をなす構造体
１３  交差する辺の角に対する端部
１４  溶着により組み付けた１／４円形をなす構造体
１５  半径部
１６  円弧部
１７  ナット
１８  金属拡張アンカー
１９  連結部材の鎖
２０  溶着により結合したる鎖端部
２１  ネジ結合にて結合したる鎖端部
２２  金属拡張アンカーとナットにて結合したる鎖端部
２３  基礎
【図１】
0003131365.tif 000003
【図２】
0003131365.tif 000004
【図３】
0003131365.tif 000005
【図４】
0003131365.tif 000006
(57)【要約】      （修正有）【課題】肩掛けベルトの任意の位置に取付固定できる腕時計を提供する。【解決手段】左右両側に設けたベルト取付ピンに、表裏両面に互いに剥離可能に結合し合う毛状結合素子を持った帯状の面ファスナーからなる取付ベルトを取り付け、裏面中央には表面または表裏両面が粘着性を有する粘着片を取り付けた腕時計。【選択図】図１
0003131367.tif 000002
【実用新案登録請求の範囲】
【請求項１】
左右両側に設けたベルト取付ピンに、表裏両面に互いに剥離可能に結合し合う毛状結合素子を持った帯状の面ファスナーからなる取付ベルトを取り付け、裏面中央には表面または表裏両面が粘着性を有する粘着片を取り付けた腕時計。
【考案の詳細な説明】
【技術分野】
【０００１】  本考案は、ショルダーバッグの肩掛けベルトに取り付けるための腕時計、主として１００円ショップなどで販売されているアクセサリーとして使われている使い捨て腕時計、特に一般的な腕時計と異なり、時刻表示の３と９が腕時計のベルト取付側に位置する腕時計に関するものである。
【背景技術】
【０００２】  従来、腕時計はその名の通り人の腕に皮や金属などの各種のベルトで装着している。
【考案の開示】
【０００３】
【考案が解決しようとする課題】
【０００４】  従来の腕時計で金具で左右のベルトを締結するタイプのものでは、ショルダーバッグの肩掛けベルトに左右のベルトを巻き付けて金具で締結することはできるが、このままでは腕時計が肩掛けベルトに沿って容易に移動してしまうので、肩掛けベルトの任意の位置に取付固定できない。
【０００５】  ショルダーバッグの肩掛けベルトに腕時計を取り付けることができると、ショルダーバッグを肩に掛けたときにその肩掛けベルトに取り付けた腕時計が胸部分の正面側に目立ってアクセサリーとして使用できる。
【課題を解決するための手段】
【０００６】  本考案は、面ファスナーからなるベルトと腕時計の裏面に取り付けた粘着片により、ショルダーバッグの肩掛けベルトに簡単に取付け固定できるようにした腕時計を提供することを最も主要な特徴とする。
【考案の効果】
【０００７】  腕時計を、その裏面の粘着片と面ファスナーからなるベルトでショルダーバッグの肩掛けベルトの任意の位置にアクセサリーとして簡単に取付け固定することができ、取り外しも簡単である。
【考案を実施するための最良の形態】
【０００８】  腕時計の左右両側に設けたベルト取付ピンに、表裏両面に互いに剥離可能に結合し合うフックあるいはループ等の毛状結合素子を持った帯状の面ファスナーからなる取付ベルトが取り付けられ、腕時計本体の裏面中央には表面または表裏両面が粘着性を有する粘着片が取り付けられている腕時計。
【実施例１】
【０００９】  図１〜図３において、腕時計１はその左右両側に設けたベルト取付ピン２，２に、表裏両面に互いに剥離可能に結合し合うフックあるいはループ等の毛状結合素子を持った帯状の面ファスナー取付ベルト３が取り付けられている。【００１０】  腕時計１の裏面中央には表面または表裏両面が粘着性を有する粘着片４が取り付けられている。【００１１】  ショルダーバッグの肩掛けベルト５に腕時計１を取り付ける場合には、図１に示すように取付ベルト３を左右に拡げた状態で、腕時計１の裏面を肩掛けベルト５に押し当てて粘着片４により接着し、次いで図２および図３に示すように取付ベルト３，３の各端部を肩掛けベルト５を包むように折り曲げて、互いに重ね合わせて接着する。
【産業上の利用可能性】
【００１２】  腕時計の利用範囲が広がり、その需要拡大が見込まれる。
【図面の簡単な説明】
【００１３】
【図１】この考案に係る腕時計を示す背面図である。
【図２】この考案に係る腕時計をショルダーバッグの肩掛けベルトに取り付けた状態を示す背面図である。
【図３】この考案に係る腕時計をショルダーバッグの肩掛けベルトに取り付けた状態を示す横断平面図である。
【図４】この考案に係る腕時計の使用状態を示す正面図である。
【符号の説明】
【００１４】  １    腕時計
２    ベルト取付ピン
３    取付ベルト
４    粘着片
５    肩掛けベルト
【図１】
0003131367.tif 000003
【図２】
0003131367.tif 000004
【図３】
0003131367.tif 000005
【図４】
0003131367.tif 000006
(57)【要約】      （修正有）【課題】パソコンへのデーター入力で資料をもたせ掛けるのに適したお手軽な読書台を、使用者が簡単に組み立てと解体ができ、商品化での生産過程をシンプルにすることで、安価に量産ができる形状と構造にして提供する。【解決手段】１枚の平板な部材に切り込みと折り目を入れ、折りたたむことで立体的な構造を作りだし、４と５、６と７の２箇所の接続面で、切り込みを設けて挟み込むことで固定する。加工が容易で、安価で量産できる形状と構造は、１枚の平板な部材に切り込みと折り目を入れ、折り曲げて作るものとする。【選択図】図４
0003131369.tif 000002
【実用新案登録請求の範囲】
【請求項１】
読書物の受け面、支柱面、底面、開閉ストッパーを１枚の平板な部材を用いて、切り込みと折りたたみで、一体的に組み立てられる形状と構造を特徴とする読書台。
【考案の詳細な説明】
【技術分野】
【０００１】  本考案は、１枚の部材を切り込みと折りたたみすることで立体的な構造を生み出し、読書物の受け面、支柱面、底面、読書物の開閉ストッパーを一体的に組み立てる読書台に関するものである。
【背景技術】
【０００２】  従来は、１枚の部材をもって、切り込みと折りたたみすることで読書物の開閉ストッパーを含めて一体的に組み立てる読書台はない。本考案に適した部材としては、ダンボール、厚紙、プラスチック類がある。また、ダンボール、厚紙の加工には、罫線入れ、切り抜き加工ができるＮＣ式加工装置があり、プラスチック類では成形加工によって、ビニール等を用いてカットした部材を圧着加工でラミネートする技術を用いて作ることができる。
【考案の開示】
【考案が解決しようとする課題】
【０００３】  本考案は、パソコン等へのデーター入力の際に、パソコン画面の角度と読書物の読書面を同程度の角度に保つことで作業の効率を高められる読書台を、使用者が簡単に組み立てと解体ができ、商品化での生産過程をシンプルにすることで、安価に量産ができる形状と構造のものを提供しようとするものである。
【課題を解決するための手段】
【０００４】  その解決手段を図面で追いながら説明すると。
読書台は、立体的な構造物であるが、１枚の平板な部材に切り込みと折り目を入れ、折りたたむことで立体的な構造を作りだすことができる。また、一体的な形状とすることで接続面は図１の（４）と（５）、（６）と（７）の２箇所で、切り込みを設けて挟み込むことで固定でき、接着剤を用いなくとも読書台の形状が保たれる。よって、組み立て解体が極めて容易になる。以上のように、１枚の平板な部材に切り込みと折り目を入れることで、図４に示すように折り曲げていくと、本考案の用具として図２に示す構造と形状を作りだすことができる。図３で示すように形状と構造が極めてシンプルで、図１で示すように平板な部材にそのままの状態で加工するもので、安価で量産できる形状と構造を有する読書台となる。
【考案の効果】
【０００５】  本考案による用具は、現在社会で多量に存在するパソコン使用の現場において、パソコン画面の角度と読書面の角度を同程度にすることで作業能率を高められる読書台を、組み立てと解体が容易で安価なものとして提供できる。また、１枚の平板な部材に切り込みと折り目を入れるだけで製造でき、折り目にそって折り曲げるだけで読書台の形状と構造を手軽に作り出せるシンプルなものであることから、生産が安価で量産が可能なものとなる。
【考案を実施するための最良の形態】
【０００６】  本考案では、平板なダンボールに切り込みと折り目をつけ、読書物の受け面、底面、支柱面へと連続する形状とし、支柱面の差込部分を受け面の差込口に差込んで本体部分を形成し、底面からストーパー部分を切り出して、前面に折り曲げ、その先端部分を四角く折り曲げて、読書物の開閉を制御するストッパーを形成する構造とするとよい。
【図面の簡単な説明】
【０００７】
【図１】  本考案の平面図である。
【図２】  本考案の斜視図である。
【図３】  本考案の側面図である。
【図４】  本考案の立体構造を平板な部材から形成するための展開図である。
【符号の説明】
【０００８】  １  受け面の部分
２  底面の部分
３  支柱面の部分
４  受け面への差込部分
５  受け面の差込口
６  ストッパーの差込部分
７  ストッパーの差込口
８  ストッパー部分
９  受け面と底面の境界折り曲げ部分
１０  ストッパーを固定する差込の折り曲げ部分
１２  ストッパーの底面と側面の折り曲げ部分
１３  ストッパーの天面と側面の折り曲げ部分
１４  本体の底面と支柱面の折り曲げ部分
【図１】
0003131369.tif 000003
【図２】
0003131369.tif 000004
【図３】
0003131369.tif 000005
【図４】
0003131369.tif 000006
(57)【要約】      （修正有）【課題】打ち込みナットは打ち込んで相手材に埋め込みが出来ることから、今までの埋め込みナットよりも大幅に埋め込む時間を短縮する。又、打ち込みナット本体の６条ねじ部に縦溝を入れたことで、埋め込んだ後に緩みが生じないようにする。【解決手段】打ち込みナットは、アヤ目、タテ目ローレットの外周を６条ねじにすることで簡単に埋め込みができ、ガイドを付すことで垂直に打ち込み易くなることから作業時間を大幅に短縮することが可能となった。又、打ち込みナット本体６条ねじ部に縦溝を付すことで埋め込んだ後に緩みが生じなくなった。【選択図】図２
0003131313.tif 000002
【実用新案登録請求の範囲】
【請求項１】
埋め込みナットの外周に６条ねじを切り、相手材（金属、木材あるいはプラスチック材など）に対して打ち込みやすいように先端ガイドを有する打ち込みナット。
【請求項２】
前記打ち込みナットの本体形状が６条ねじ形状であることを特徴とする請求項１記載の打ち込みナット。
【請求項３】
本体ねじ部形状に縦溝を有することを特徴とする請求項１、２のいずれか１項に記載の打ち込みねじ。
【考案の詳細な説明】
【考案の詳細な説明】
【技術分野】
【０００１】本考案の打ち込みナットは、打ち込みナット外周に６条ねじが切ってある為、相手材（金属、木材あるいはプラスチック材など）に打ち込むと、ねじの原理で打ち込みナットが回転しながら相手材に埋め込まれる。又、相手材に対して容易に打ち込める様に、打ち込みナットに先端ガイドを付した。更に、打ち込みナットの６条ねじ部に縦溝を付してあるので、縦溝に相手材が食い込み、打ち込みナットが緩まない。本考案は上記の特徴を有する打ち込みナットに関するものである。
【背景技術】
【０００２】従来の打ち込みナットは強い打力で打ち込む必要があった。又、打ち込みナット本体の外周ねじ部が６条ねじ形状でねじ山が粗いため、打ち込んだナットが常に緩みやすい状態であった。
【考案が解決しようとする課題】
【０００３】従来の打ち込みナットよりも比較的弱い打力で相手材に打ち込みことが出来るようにする。すなわち、打ち込みナットの打ち込み時における作業効率を改善する。また、打ち込まれ打ち込みナットの緩みをなくす。
【課題を解決するための手段】
【０００４】本考案の打ち込みナットは、相手材に打ち込みしやすいように打ち込みナット先端にガイドを付した。更に、打ち込まれた打ち込みナットが緩まないように、打ち込みナット外周の６条ねじ部に縦溝を入れた。
【考案の実施形態】
【０００５】打ち込みナットの外周に６条ねじを切り、先端にガイドを付け、相手材に対して垂直に入り易いようにし、かつ弱い打力で打ち込めるようにした。又、打ち込みナット外周の６条ねじ部に縦溝を入れ、更に、打ち込みナットの６条ねじ部に縦溝を付したので、縦溝に相手材が食い込み、打ち込みナットが緩まないようにした。
【実施例】
【０００６】以下、添付図面に従って実施例を説明する。【０００７】図１の１−Ａ、１−Ｂの埋め込みナットのように、外周がアヤ目、タテ目のローレット溝では、相手材に埋め込みをするには熱圧入か相手材にインサート成形するしかなかった。しかし、図２の２−Ａのように外周に６条ねじを切ることで、相手材に打ち込んで埋め込むことが出来る。又、２−Ｂのガイド部を付けることで図３のように相手材に曲がって入る心配がなく、図４のように相手材に垂直に立ち、図５のように相手材に垂直に打ち込んで埋め込むことが出来るため、作業時間を大幅に短縮することができる。又、図２の２−Ｃのように６条ねじに縦溝を入れることで図５のように打ち込んだ時に相手材が溝の中に入り込むため緩め防止となる。
【図面の簡単な説明】
【０００８】
【図１】埋め込みナット
【図２】本考案打ち込みナットの全体図
【図３】不具合図
【図４】打ち込みナット埋め込み時
【図５】６条ねじに縦溝を入れた打ち込みナット
【図６】埋め込み完了時
【符号の説明】
１−Ａ  外周に切ってあるアヤ目ローレット
１−Ｂ  外周に切ってあるタテ目ローレット
２−Ａ  外周に切ってある６条ねじ
２−Ｂ  先端ガイド
２−Ｃ  ６条ねじに縦溝を入れた形状
【図１】
0003131313.tif 000003
【図２】
0003131313.tif 000004
【図３】
0003131313.tif 000005
【図４】
0003131313.tif 000006
【図５】
0003131313.tif 000007
【図６】
0003131313.tif 000008
【手続補正書】
【提出日】平成19年1月22日(2007.1.22)
【手続補正１】
【補正対象書類名】実用新案登録請求の範囲
【補正対象項目名】全文
【補正方法】変更
【補正の内容】
【実用新案登録請求の範囲】
【請求項１】
埋め込みナットの外周に６条ねじを切り、金属、木材あるいはプラスチック材などに対して打ち込みやすいように先端ガイドを有する打ち込みナット。
【請求項２】
前記打ち込みナットの本体形状が６条ねじ形状であることを特徴とする請求項１記載の打ち込みナット。
【請求項３】
本体ねじ部形状に縦溝を有することを特徴とする請求項１、２のいずれか１項に記載の打ち込みナット。
(57)【要約】【課題】洋式便器で便座に肌が直接触れないようにする【解決手段】便座の前方部分を傾斜にすることで体形が前かがみになりおろした下着が便座の所にきて肌が直接便座に触れないように出来る【選択図】図１
0003131315.tif 000002
【実用新案登録請求の範囲】
【請求項１】
洋式便器の便座の前方を傾斜にした所を特徴とする傾斜型洋式便器とする
【考案の詳細な説明】
【技術分野】
【０００１】洋式便器の便座をかいして他人との肌が触れないようにする
【背景技術】
【０００２】洋式便器の便座の前方部分を傾斜をつける事で下着で肌が便座に直接触れなくなる
【考案の開示】
【考案が解決しようとする課題】
【０００３】洋式便器では便座に直接肌が触れる為便座に直接肌が触れないようにする
【課題が解決する為の手段】
【０００４】洋式便器の便座の前方を傾斜にする事により体形が前かがみになり、おろした下着の部分が傾斜の部分に来て下着で直接便座と肌が触れなくなる
【考案の効果】
【０００５】トイレで便座の部分が直接肌に触れなく不快感を感じない
【考案の実施するための最良の形能】
【０００６】洋式便器の後方を平らに、前方を角度を付けた傾斜にする
【実施例】
【０００７】洋式便器の便座の部分に傾斜をつけた便座にする
【図面の簡単な説明】
【０００８】
【図１】傾斜をつけた洋式便器の全体図
【符号の説明】
【０００９】１．洋式便器の全体図
２．便座の平らな部分
３．便座の傾斜をつけた部分
【図１】
0003131315.tif 000003
【手続補正書】
【提出日】平成19年1月29日(2007.1.29)
【手続補正１】
【補正対象書類名】実用新案登録請求の範囲
【補正対象項目名】全文
【補正方法】変更
【補正の内容】
【実用新案登録請求の範囲】
【請求項１】
洋式便器の便座の前方を傾斜にした所を特徴とする傾斜型洋式便器
(57)【要約】      （修正有）【課題】ゴルフパターに関しリラックスしてアドレスでき、視界広く目標物へボールの芯で正確に打ち出せ、パッティングでの不安を取り除かれることを可能としたパターを提供する。【解決手段】目印は全体そのものに一体感があり目標物へ矢のように飛んでいくイメージのあるものとすることを特徴とした目印表示である。また、別の目印は玉つきでボールを打球するが如く広く冷静に目標が見られるようなイメージのすることを特徴とした目印の表示である。【選択図】図４
0003131318.tif 000002
【実用新案登録請求の範囲】
【請求項１】
パターラインにボールとヘッドをセットし、その中心を結ぶフェイスに対し直角な直線を軸としボールの前方の一点からボール外側を通ってフェイスにのびる二つの延長線がヘッド上面にかかる斜線または曲線の目印を特徴としたゴルフパター。
【請求項２】
ヘッド背面の一点からヘッド上面を通ってボール外側へのびる二つの延長線がヘッド上面にかかる斜線または曲線の目印を特徴とした請求項１記載のゴルフパター。
【考案の詳細な説明】
【技術分野】
【０００１】ゴルフパターの目印表示に関する。
【背景技術】
【０００２】ヘッド上面にある中心の直線や二本の平行なホワイトラインは知られている。
【特許文献】広報特開平９−２６２３３
【考案の開示】
【考案が解決しようとする課題】
【０００３】しかしこの目印でティクバックすると一連の動作により頭が右に傾きやすくパターの基本通りに打ちにくいという欠点がある。それはヘッドの中心を意識すぎるためであり、二本の平行ラインも同様であるインパクトで顔を戻す時に動きやすい。中心は意識しなくても意識するものである。
【課題を解決するための手段】
【０００４】本考案は頭を動かすことなく視界よく両目でしっかり目標物を見ることができ目線だけでパッティングができ安定感のあるアドレスが出来るように一体感のあるものとして上記課題を解決するものである。
【考案の実施形態】
【０００５】本考案の目印は図２の示すラインは全体を浅く彫刻込み枠内を白く埋めつぶすのもよく図３の示すラインはラインを際立たせるため深く削り取り枠内は白色でもよい。また本考案は従来よりあるＴ型・Ｌ型・Ｄ型・ピン型のどのタイプでも適応できる。
【考案の効果】
【０００６】本考案によりパッティングすれば頭・アゴなどが動かず目線で読み目線で打ち出せるという特徴により方向性・距離感などに集中することができ目標へ正確に打ち出せることができミスショットなどを防ぐことができるものである。
【０００７】また腰の痛い時などでオープンスタンスで打つのにも優れているが左へ引っかけることがある。それはテイクバックに移るとき左脇でクラブを真直ぐ少しつりあげ、あとは右手で打つだけで修正できるのである。
【０００８】下りの早いラインなどでは目標物に合わせ距離方向を読み取りインパクトで打った瞬間同時位にグリップを竿で魚を釣り上げるように顔の方へ上げればボールの回転が押さえられる。
【図面の簡単な説明】
【０００９】
【図１】本考案に係る全体を構成する概略図である。
【図２】本考案に係る距離感をつかむのによい目印の正面図である。
【図３】本考案に係る方向性に優れた目印の正面図である。
【図４】矢のイメージのする想像図である。
【図５】玉つきのイメージのする想像図である。
【符号の説明】
【００１０】１    ヘッド表面の本体
２    方向表示
３    ボール
４    シャフト付部
【図１】
0003131318.tif 000003
【図２】
0003131318.tif 000004
【図３】
0003131318.tif 000005
【図４】
0003131318.tif 000006
【図５】
0003131318.tif 000007
(57)【要約】【課題】  火葬に際して、お棺の中に入れる硬貨に代えて火葬する副葬品で納骨時に拾い出して形身品又は思い出品として持ち帰る際に変形や退色しない副葬品を提供する。【解決手段】  石英ガラス製の小片で、形身品、思い出品として永く所持することができる。ペット用としても使用できる。【選択図】    図１
0003131312.tif 000002
【実用新案登録請求の範囲】
【請求項１】
石英ガラス製の小片Ａであって、中心に透孔（２）を設け、表面に経文の文字又は家紋や愛称等の図柄等を刻印（１）を付したことを特徴とした火葬時の副葬品。
【考案の詳細な説明】
【技術分野】
【０００１】
本考案は火葬の際に棺の中に入れる副葬品に関する。
【背景技術】
【０００２】
火葬の際に棺の中に死者と共に花や死者の愛用していた品々を入れ死者の供養に供することは一般に行われている。この際硬貨を入れて世間でいう死者が死後７日目に渡る三途の川の舟賃とすることも一般の風習として行われている。そして火葬後骨を拾うときに、死者と供に焼かれた硬貨を拾って持ち帰り、これを財布や守り袋の中に入れて持っているという習慣も残っている。
【０００３】
また最近は、愛犬家・愛猫家の間でも、犬猫を火葬に付し、この火葬の際に首輪や愛玩品の外に硬貨を入れ、この硬貨の焼き残り品を拾い上げて持ち帰り、思い出品とする傾向もある。
【特許文献１】特開２００２−６７８号公報
【考案の開示】
【考案が解決しようとする課題】
【０００４】
しかし、この焼かれた後の硬貨は長時間の高熱に晒されているため変形して色も変り、お守りとして持っていても不気味を感じ、自然と永いうちに紛失してしまうことが多い。
【課題を解決するための手段】
【０００５】
考案者は、この点に鑑み鋭意研究の結果本考案に到達したものであって、本考案は硬貨に変えて高熱に耐えて変形や変色のしない石英ガラスによって硬貨状の小片を造り、これを死者と供に棺に入れて焼き、この石英ガラス製の小片をお守や形身として永く所持して死者を忍び供養するものである。
【考案の効果】
【０００６】
本考案の副葬品は、前述のように耐熱性のある石英ガラスによる小片を用いるため火葬後であっても、焼失や変形・退色もせず原形を保つため、お守りや形身として所持し易く、そして、この小片Ａは中央に透孔（２）を設けることによって紐などを通して、携帯電話のストラップや根つけ等として持ち易く、永い間所持してなくなった者を偲び供養できるという効果を奏する。
【考案を実施するための最良の形態】
【０００７】
添付図面により本考案を実施するための最良の形態を説明すると、図１及び図２は石英ガラス製の小片Ａであり、図１は丸型、図２は四角型の形状を示しているが、この小片Ａの形状はこの図示に限ることなく六角型でも楕円型でもよく、又大きさも流通されている５円，１０円硬貨ほどの大きさが適当である。また犬や猫のようなペットの場合は一般の犬猫の形でよい。
【実施例】
【０００８】
図１の表面には（１）として「極楽浄土」、図２の表面には（１）として「南無阿彌陀仏」と仏語が記されているが、これにかえて「家紋」やペットの場合は「ポチ」とか「タマ」などと愛称を記すとよい。さらには小片Ａの中央に紐通し用の透孔（２）を設ける。
【０００９】
本考案で使用する石英ガラスは１５００℃以上の高温でも変形することなく、しかも硬いという特性があり成形も比較的容易であることから、お守りや形身品として最適である。
【産業上の利用可能性】
【００１０】
上述のように本考案のお棺の中に入れる副葬品は、火葬後拾い出してからも形も変らず、色も変らず、少し磨けば元の状態が保たれるため、形身品として又はお守りとして、身につけていても違和感がなく、多くの人々に利用されるものである。
【図面の簡単な説明】
【００１１】
【図１】実施例図
【図２】別の実施例図
【符号の説明】
【００１２】
１  表面の文字又は図柄
２  透孔
Ａ  小片
【図１】
0003131312.tif 000003
【図２】
0003131312.tif 000004
【手続補正書】
【提出日】平成19年1月25日(2007.1.25)
【手続補正１】
【補正対象書類名】実用新案登録請求の範囲
【補正対象項目名】全文
【補正方法】変更
【補正の内容】
【実用新案登録請求の範囲】
【請求項１】
石英ガラス製の小片Ａであって、中心に透孔（２）を設け、表面に経文の文字又は家紋を刻印（１）したことを特徴とした火葬時の副葬品。
(57)【要約】      （修正有）【課題】左右自在にスライドさせることで今までの何らかの障害が少なくなり、また、動物の（首輪）ベルトよりは痛みがやわらぎ、内側のベルトには、外部の力は本来のベルトより少なくなるようにする。【解決手段】ベルトは左右自在にスライドさせることが出来、本来のベルトと同様で、ファッション、アクセサリーベルトの素材により二重、三重にと重ねることも出来る。本来のベルトらしさを失うことなく使用できる。【選択図】図１
0003131317.tif 000002
【実用新案登録請求の範囲】
【請求項１】
本考案は図１、図２に記載している通り一本のベルトを二重に折り曲げ内側のベルトは本来のベルトと同様（ベルト通しにベルトを通し）に使用します。外側のベルトに物（携帯電話等）をリング状に通したものを左右自在にスムーズにスライドさせることができる。動物のベルト（首輪）としても可能。
【考案の詳細な説明】
【技術分野】
【０００１】  本考案は図１、図２に記載してある通り一本のベルトを二重に折り曲げ内側のベルトは本来のベルトと同様（ベルト通しにベルトを通し）に使用します。外側のベルトに物（携帯電話等）をリング状に通したものを左右自在にスムーズにスライドさせることができる。動物のベルト（首輪）としても可能。
【背景技術】
【０００２】  従来の商品の弱点はズボンのベルトにリング状のもの（携帯電話等）をズボンのベルト通しとベルト通しの間に左右にスライドさせるだけであった。動物のベルト（首輪等）の使用では、外部の力により引っ張られて、首や喉等を痛めていた。
【考案の開示】
【考案が解決しようとする課題】
【０００３】  本来のベルトを使用してズボンにベルトを付ける場合、ズボンのベルト通しとベルト通しの間だけ、左右スライドをしていた為に（例えば、人命救助支援者）狭い所、又かがんだり、座ることにも何らかの障害が生じていた。その為、断念したこともある。
【考案の効果】
【０００４】  しかし、左右自在にスライドさせることで今までの何らかの障害が少なくなる。また、動物の（首輪）ベルトよりは痛みがやわらぐ。内側のベルトには、外部の力は本来のベルトより少なくなる。
【考案を実施するための最良の形態】
【０００５】  よって本来の図１、図２に記載してあるベルトは左右自在にスライドさせることが出来る。本来のベルトと同様。ファッション、アクセサリーベルトの素材により二重、三重にと重ねることも出来る。本来のベルトらしさを失うことなく使用できる。
【実施例】
【０００６】  狭い所、又かがんだり、座ることに何らかの障害が生じていたことが、その障害のある方から無い方にスライドさせることが出来る。左右自在。
【産業上の利用可能性】
【０００７】  本考案に係るベルトは工業的に量産する事が可能である為、産業上の利用可能性を有する。
【図面の簡単な説明】
【０００８】
【図１】  立体図面である。
【図２】  立体図面である。
【符号の説明】
【０００９】  １  ベルト
２  止がね
３  リング
４  止がね
５  リング
【図１】
0003131317.tif 000003
【図２】
0003131317.tif 000004
【手続補正書】
【提出日】平成19年1月19日(2007.1.19)
【手続補正１】
【補正対象書類名】実用新案登録請求の範囲
【補正対象項目名】全文
【補正方法】変更
【補正の内容】
【実用新案登録請求の範囲】
【請求項１】
一本のベルトが二重に折り曲げられ、二重となる部分は止めがねで止められている２重ベルトからなる口開閉ベルトであって、前記二重ベルトの中間部には、ベルトに沿って移動可能なリングが設けられていることを特徴とする口開閉ベルト。
【手続補正２】
【補正対象書類名】明細書
【補正対象項目名】全文
【補正方法】変更
【補正の内容】
【考案の詳細な説明】
【０００１】  本考案は、口開閉ベルトに関する。
【背景技術】
【０００２】  ズボンのベルト通しとベルト通しの間に左右にリング状のものをスライドさせるだけであった、又、動物の首輪等の使用では、一本のベルトで、外部の力により引っ張られて、いた為に、動物の首や喉等を痛めていた。
【考案の開示】
【考案が解決しようとする課題】
【０００３】  ベルトを使用してズボンにベルトを付ける場合、ズボンのベルト通しとベルト通しの間だけで、左右スライドさせていた為に、狭い所に入るにも、又は、かがんだり、座ることにも、何らかの障害が生じていた為に断念したこともある、又、重大な人命救助にも大きな欠点があった。
【課題を解決するための手段】
【０００４】  一本のベルトが二重に折り曲げられ二重となる部分は止めがねで止められている口開閉ベルトであって前記二重ベルトの中間部にはベルトに沿って移動可能なリングが設けられていることを特徴とする口開閉ベルトを着用すれば、これにより、上記課題を解決するものである。
【考案を実施するための最良の形態】
【０００５】  図１に示すように外側に身につけたいものをリング状に付け、左右自在に動かせることが出来る、二重になる口開閉ベルト。【０００６】  図２に示すように、二重ベルトでベルトの先、つまり口になる部分は係合部が凸凹の止めがねを使用し実用性にも優れたものである、一重のベルトと同じ工程であり、二重になる口開閉ベルト。【０００７】  上記工程により完成した口開閉ベルト着用し携帯電話等に付け、作用し、又、運転し今まで、ズボンのベルト通しとベルト通しの間だけ左右スライドさせていた為に何らかの障害が生じてたことが障害のある方から障害ない方に左右自在にスライドすることが出来る。
【考案の効果】
【０００８】  本考案に係る口開閉ベルトは一本のベルトを二重にした簡単な構成で、容易に製造することができ、一本のベルトと同様のものを採用しているので軽量化をはかることができ実用性にも優れたものである。
【図面の簡単な説明】
【０００９】
【図１】  本考案に係る口開閉ベルトの全体の斜視図。
【図２】  本考案に係る口開閉ベルトの製造における工程図。
【符号の説明】
【００１０】    １・・・ベルト
２・・・バックル
３・・・リング
４・・・凹凸止がね
５・・・リング